(57)【要約】      （修正有）【課題】スカートブラシが変形しないように梱包して輸送できるスカートブラシ用パレットを提供する。【解決手段】パレット１０には、段ボールより形成された長方形状の基板１２上にスカートブラシ１のブラシ毛２が保持されているブラシ台３を固定する固定部１４が配置されている。前記固定部１４はゴム製の直方体であって、その中央部上面に溝が刻まれている。前記各溝にブラシ台３を嵌め込むことにより、凹状スカートブラシ１ａ、直線状スカートブラシ１ｂ及び凸状スカートブラシ１ｃが前記基板１２に立設される。次に、これら前記スカートブラシ１を立設した前記基板１２に、段ボールで形成された養生用の箱形の蓋１８を上から被せ、バンド等によって前記蓋１８と前記基板１２とを固定して、前記パレット１０を輸送する。【選択図】図４
2013095568.tif 000002
【特許請求の範囲】
【請求項１】
乗客コンベアのスカートガードに沿って取り付けられるスカートブラシを梱包するためのスカートブラシ用パレットであって、
前記スカートブラシのブラシ毛が保持されているブラシ台を固定する固定部が基板に設けられ、
前記ブラシ台が前記固定部で固定された状態で、前記ブラシ毛が前記基板から立設している、
ことを特徴とするスカートブラシ用パレット。
【請求項２】
前記スカートブラシが長手方向に沿って凸状、又は、凹状に湾曲しており、
前記固定部は、前記湾曲したスカートブラシに沿って前記基板に複数設けられている、
ことを特徴とする請求項１に記載のスカートブラシ用パレット。
【請求項３】
前記スカートブラシが直線状であり、
前記固定部は、前記直線状のスカートブラシに沿って前記基板に複数設けられている、
ことを特徴とする請求項１又は２に記載のスカートブラシ用パレット。
【請求項４】
前記固定部がゴム製であって、前記固定部が前記ブラシ台を挟持する、
ことを特徴とする請求項１乃至３のいずれか一項に記載のスカートブラシ用パレット。
【請求項５】
前記固定部がスポンジ製であって、前記固定部が前記ブラシ台を挟持する、
ことを特徴とする請求項１乃至３のいずれか一項に記載のスカートブラシ用パレット。
【請求項６】
前記固定部が段ボール製であって、前記固定部が前記ブラシ台を挟持する、
ことを特徴とする請求項１乃至３のいずれか一項に記載のスカートブラシ用パレット。
【請求項７】
前記スカートブラシが固定された前記基板を覆う蓋をさらに有する、
ことを特徴とする請求項１乃至６のいずれか一項に記載のスカートブラシ用パレット。
【請求項８】
乗客コンベアのスカートガードに沿って取り付けられるスカートブラシを梱包するためのスカートブラシ用パレットであって、
前記スカートブラシのブラシ毛及び前記ブラシ毛を保持するブラシ台とを、両側から挟んで固定する左右一対のカバー部材を有する、
ことを特徴とするスカートブラシ用パレット。
【発明の詳細な説明】
【技術分野】
【０００１】
本実施形態は、スカートガードに取り付けられるスカートブラシを梱包するためのスカートブラシ用パレットに関するものである。
【背景技術】
【０００２】
従来より、エスカレータや動く歩道などの欄干の内側下部に、スカートガードが設けられ、このスカートガードと踏段との間には、踏段の移動方向に沿ってスカートスカートブラシが設けられている（例えば、特許文献１、特許文献２参照）。
【０００３】
上記スカートブラシを、乗客コンベアを設置する建屋まで輸送する場合に、スカートブラシをそれぞれナイロン袋に収納し、このナイロン袋に収納したスカートブラシを重ねてバンドによって固定して、段ボール箱内部に寝かせた状態で収納して輸送している。
【先行技術文献】
【特許文献】
【０００４】
【特許文献１】特開２００３−１４６５７２号公報
【特許文献２】特開２０１０−１８００１５号公報
【発明の概要】
【発明が解決しようとする課題】
【０００５】
しかし、段ボール箱内部でスカートブラシが正しく重ねられていても、輸送中にスカートブラシのブラシ毛が段ボール箱に接触してズレてしまい、ブラシ毛に癖が付くという問題点があった。また、バンドによってスカートブラシを固定していると、そのバンドによって固定された箇所のブラシ毛が変形するという問題点があった。
【０００６】
そこで、本実施形態は上記問題点に鑑み、スカートブラシが変形しないように梱包して輸送できるスカートブラシ用パレットを提供することを目的とする。
【課題を解決するための手段】
【０００７】
本実施形態は、乗客コンベアのスカートガードに沿って取り付けられるスカートブラシを梱包するためのスカートブラシ用パレットであって、前記スカートブラシのブラシ毛が保持されているブラシ台を固定する固定部が基板に設けられ、前記ブラシ台が前記固定部で固定された状態で、前記ブラシ毛が前記基板から立設している、ことを特徴とするスカートブラシ用パレットである。
【図面の簡単な説明】
【０００８】
【図１】実施形態１のエスカレータであって、下階側の乗降口付近の斜視図である。
【図２】実施形態１の直線状スカートブラシの斜視図である。
【図３】実施形態１の凹状スカートブラシと直線状スカートブラシと凸状スカートブラシを並べた状態の平面図である。
【図４】実施形態１のスカートブラシ用パレットにスカートブラシを立設し、蓋を被せようとしている斜視図である。
【図５】実施形態１のブラシ台を固定部に固定した状態の拡大斜視図である。
【図６】実施形態２のスカートブラシ用パレットにスカートブラシを立設し、蓋を被せようとしている斜視図である。
【図７】実施形態３のスカートブラシ用パレットであって、一部を欠裁した状態の斜視図である。
【発明を実施するための形態】
【０００９】
以下、本実施形態のスカートブラシ１を梱包するスカートブラシ用パレット（以下、単に「パレット」という）１０について図面に基づいて説明する。
【実施形態１】
【００１０】
実施形態１のスカートブラシ１を梱包するパレット１０について図１〜図５に基づいて説明する。
【００１１】
（１）スカートブラシ１の構造
パレット１０について説明する前に、まず、スカートブラシ１の構造について説明する。
【００１２】
図１に示すように、エスカレータ１００における左右一対の欄干１０２の下部にスカートガード１０４がそれぞれ設けられ、左右一対のスカートガード１０４に沿ってスカートブラシ１がそれぞれ取り付けられている。スカートブラシ１が取り付けられている箇所は、踏段１０６よりもやや上方に設けられ、スカートブラシ１は踏段１０６とスカートガード１０４との間に異物が侵入するのを防止する。
【００１３】
図２に示すように、スカートブラシ１は、直毛状のブラシ毛２を束ねた状態で、ブラシ毛２の基部が、金属板を折曲したブラシ台３に固定されている。ブラシ毛２は、合成樹脂繊維より成形される素線径０．５ｍｍ程度の毛である。
【００１４】
図３に示すように、スカートブラシ１は、３種類存在する。第１の種類は、図１に示すように、エスカレータ１００の下階側の乗降口付近のスカートガード１０４に設けられるスカートブラシ１であり、図３に示すように、水平な状態から傾斜状態に湾曲したものであって、以下の説明では「凹状スカートブラシ１ａ」という。凹状スカートブラシ１ａの長さは、例えば約２ｍである。
【００１５】
第２の種類は、図１に示すように下階から上階に直線状に延びるスカートガード１０４に沿って設けられているスカートブラシ１であり、図３に示すように、直線状であって、以下の説明では「直線状スカートブラシ１ｂ」という。直線状スカートブラシ１ｂの長さは、例えば約２ｍである。
【００１６】
第３の種類は、上階側の乗降口付近のスカートガード１０４に設けられるスカートブラシ１であり、図３に示すように、傾斜状態から水平状態に湾曲したものであって、以下の説明では「凸状スカートブラシ１ｃ」と言う。凸状スカートブラシ１ｃの長さは、約２ｍである。
【００１７】
なお、凹状スカートブラシ１ａ、直線状スカートブラシ１ｂ、凸状スカートブラシ１ｃをまとめて呼ぶときは、スカートブラシ１という。
【００１８】
また、１台のエスカレータ１００においては、下階側の乗降口に左右一対の凹状スカートブラシ１ａが必要であり、上階側の乗降口に左右一対の凸状スカートブラシ１ｃが必要であり、直線状スカートブラシ１ｂは、下階から上階の距離に応じた数が必要となる。
【００１９】
（２）パレット１０の構造
次に、スカートブラシ１を梱包するためのパレット１０について説明する。
【００２０】
図４に示すように、パレット１０は、段ボールより形成された長方形状の基板１２上に複数の固定部１４が取り付けられ、これら固定部１４にスカートブラシ１が立設されている。
【００２１】
さらに、詳しく説明すると、図４に示すように、パレット１０の基板１２の一番手前側に４個の固定部１４が、凹状スカートブラシ１ａの湾曲状態に沿って配置されている。一方、図５に示すように、固定部１４はゴム製の直方体であって、その中央部上面に溝１６が刻まれている。各固定部１４の溝１６に凹状スカートブラシ１ａのブラシ台３を嵌め込むことにより、凹状スカートブラシ１ａが基板１２に立設される。
【００２２】
また、図４に示すように、基板１２の最も外側の長辺方向に沿って４個の固定部１４が、直線状態に配置されている。そして、各固定部１４の溝１６に直線状スカートブラシ１ｂのブラシ台３を嵌め込むことにより、直線状スカートブラシ１ｂが基板１２に立設される。
【００２３】
さらに、図４に示すように、凹状スカートブラシ１ａと直線状スカートブラシ１ｂの間の基板１２に４個の固定部１４が、凸状スカートブラシ１ｃの湾曲状態に沿って配置されている。そして、各固定部１４の溝１６に凸状スカートブラシ１ｃのブラシ台３を嵌め込むことにより、凸状スカートブラシ１ｃが基板１２に立設される。
【００２４】
次に、これらスカートブラシ１を立設した基板１２に、段ボールで形成された養生用の箱形の蓋１８を上から被せる。
【００２５】
最後に、基板１２に蓋１８を被せた状態で、バンド等によって蓋１８と基板１２を固定して、パレット１０を輸送する。
【００２６】
（４）効果
上記実施形態によれば、基板１２に立設した状態でスカートブラシ１を固定して、蓋１８を被せているため、スカートブラシ１を直接バンドで拘束したり、段重ねしたり、梱包材により押さえ込んだりすることがなく、ブラシ毛２に他の部材が輸送中に接触したりすることがないので、ブラシ毛が変形することなく、また、ブラシ毛２は垂直状態に立っているため、ブラシ毛２に癖が付くことがない。
【００２７】
また、湾曲している凹状スカートブラシ１ａと凸状スカートブラシ１ｃが並んで配置され、直線状スカートブラシ１ｂのみが長方形状のパレット１０の長辺方向に沿って配置されていることにより、長方形の基板１２に効率よく各スカートブラシ１を固定できる。
【実施形態２】
【００２８】
次に、実施形態２のパレット１０について図６に基づいて説明する。
【００２９】
実施形態１では、ゴム製の固定部１４を用いたが、これに代えて、スポンジ製の固定部２０を用いる。
【００３０】
すなわち、直方体状のスポンジ製の固定部２０をパレット１０の基板１２に所定間隔毎に配置し、このスポンジ製の固定部２０の上面に、凹状スカートブラシ１ａ、直線状スカートブラシ１ｂ、凸状スカートブラシ１ｃの形状に応じた切れ目２２を設け、各切れ目２２にスカートブラシ１のブラシ台３を差し込む。
【００３１】
これにより、本実施形態であっても図６に示すように、各スカートブラシ１を立設した状態で固定できる。
【実施形態３】
【００３２】
次に、実施形態３のパレット１０について図７に基づいて説明する。
【００３３】
本実施形態のパレット１０は、直線状スカートブラシ１ｂ専用のパレットである。すなわち、凹状スカートブラシ１ａと凸状スカートブラシ１ｃは、１台のエスカレータ１００では、それぞれ２個ずつであるため、上記実施形態１，２のパレット１０で全て梱包可能である。しかし、直線状スカートブラシ１ｂはエスカレータ１００の長さによって数が変わってくるため、本実施形態のような直線状スカートブラシ１ｂ専用のパレット１０が必要となる。
【００３４】
本実施形態のパレット１０は、直線状スカートブラシ１ｂを左右両側から覆う左右一対のカバー部材２４を有し、この左右一対のカバー部材２４の内側には、直線状スカートブラシ１ｂが収納される凹部２６が設けられている。カバー部材２４の材質としては、ポリカーバネイトやポリプロピレンなどである。
【００３５】
直線状スカートブラシ１ｂをパレット１０に梱包する場合には、左右一対のカバー部材２４，２４の一方のカバー部材２４の凹部２６に直線状スカートブラシ１ｂを収納した後、他方のカバー部材２４を被せる。そして、左右一対のカバー部材２４，２４をポリカーバネイト製のバンド等により締結して固定する。
【００３６】
本実施形態であっても、直線状スカートブラシ１ｂがカバー部材２４によって覆われるため、直毛のブラシ毛２に他の部材が当たったりして変形しない。
【変更例】
【００３７】
上記実施形態１では、固定部１４としてゴム製のものを用いたが、これに代えて段ボール製の固定部１４を用いてもよい。
【００３８】
また、上記実施形態では、エスカレータ１で説明したが、これに代えて動く歩道に適用してもよい。
【００３９】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１・・・スカートブラシ、２・・・ブラシ毛、３・・・ブラシ台、１ａ・・・凹状スカートブラシ、１ｂ・・・直線状スカートブラシ、１ｃ・・・凸状スカートブラシ、１０・・・スカートブラシ用パレット、１２・・・基板、１４・・・固定部、１６・・・溝、１８・・・蓋、１００・・・エスカレータ、１０４・・・スカートガード
【図１】
2013095568.tif 000003
【図２】
2013095568.tif 000004
【図３】
2013095568.tif 000005
【図４】
2013095568.tif 000006
【図５】
2013095568.tif 000007
【図６】
2013095568.tif 000008
【図７】
2013095568.tif 000009